(57)【要約】【課題】単独で設置されている場合でも、入力操作部に故障を生じた際に、画像形成処理に関する入力操作を受け付けることができるようにする。【解決手段】制御部５のＲＯＭ５２内に、入力操作部６におけるユーザの入力操作と画像形成処理に関する第１の情報との関係、センサ８１〜８４の検出結果と画像形成処理に関する第１の情報との関係、及びセンサ８１〜８４の検出結果と画像形成処理に関する第２の情報との関係を記憶したメモリエリア５２１〜５２３を設けた。制御部５のＣＰＵ５１は、タッチパネル６２が故障していない時にメモリエリア５２１及び５２３の記憶内容に基づいて画像形成処理を実行し、タッチパネル６２が故障している時にメモリエリア５２２及び５２３の記憶内容に基づいて画像形成処理を実行する。【選択図】図２
2011191511.tif 000002
【特許請求の範囲】
【請求項１】
画像形成処理に関するユーザの入力操作を受け付ける入力操作部と、
用紙に対する画像形成処理を実行する画像形成部と、
前記入力操作部における故障の発生を検出する故障検出部と、
画像形成処理に関するユーザの動作を検出するセンサと、
前記入力操作部におけるユーザの入力操作と画像形成処理に関する第１の情報との関係を記憶した第１記憶部と、
前記センサの検出結果と前記第１の情報との関係を記憶した第２記憶部と、
前記センサの検出結果と画像形成処理に関する第２の情報との関係を記憶した第３記憶部と、
前記故障検出部が前記入力操作部における故障の発生を検出していない時に前記第１記憶部及び前記第３記憶部の記憶内容に基づいて前記画像形成部を制御し、前記故障検出部が前記入力操作部における故障の発生を検出した時に前記第２記憶部及び前記第３記憶部の記憶内容に基づいて前記画像形成部を制御する制御部と、を備える画像形成装置。
【請求項２】
前記画像形成部は、未処理の用紙を収容する用紙収容部から処理済みの用紙を収容する用紙排出部までの間に用紙を搬送する用紙搬送部を含み、
前記センサは、前記用紙収容部におけるユーザの用紙収容動作を検出する用紙センサを含む請求項１に記載の画像形成装置。
【請求項３】
前記画像形成部は、原稿の画像を読み取る画像読取部を含み、
前記センサは、前記画像読取部におけるユーザの原稿載置動作を検出する原稿センサを含む請求項１又は２に記載の画像形成装置。
【請求項４】
前記第１の情報及び第２の情報を含む表示情報を表示する表示部を備え、
前記制御部は、前記故障検出部が前記入力操作部における故障の発生を検出した後に、前記センサが検出したユーザの動作に対応する第１の情報を前記第２記憶部から読み出して前記表示部に表示する請求項１乃至３のいずれかに記載の画像形成装置。
【請求項５】
前記センサにおける検出結果の無変化状態の継続時間を計時するタイマを備え、
前記制御部は、前記故障検出部が前記入力操作部における故障の発生を検出した後に、前記タイマの計時時間が所定時間を超えた時に、前記センサが最後に検出したユーザの動作に対応する第１の情報をユーザによる設定内容として保存する請求項１乃至４のいずれかに記載の画像形成装置。
【発明の詳細な説明】
【技術分野】
【０００１】
この発明は、画像形成処理に関する情報の入力操作を受け付ける入力操作部に故障を生じた場合に、他の用途のために装置に既設されているセンサを用いて画像形成処理に関する情報の入力操作を受け付けるようにした画像形成装置に関する。
【背景技術】
【０００２】
画像形成装置は、画像形成処理の開始が指示された際に、モードの選択内容や画像形成条件の設定内容に基づいて画像形成処理を実行する。モードの選択内容とは、例えば、フルカラー画像を形成するカラー画像形成モード又はモノクロ画像を形成するモノクロ画像形成モードの何れかの選択である。画像形成条件の設定内容とは、例えば、原稿サイズ、用紙サイズ、画像濃度、画像形成倍率及び画像形成部数等のそれぞれについての設定である。
【０００３】
このため、画像形成装置には、画像形成処理の開始の指示、並びにモードの選択内容及び画像形成条件の設定内容の変更等の画像形成処理に関する情報の入力操作を受け付ける入力操作部が備えられている。入力操作部には、画像形成処理の開始の指示を受け付けるプリントキー（スタートボタン）、モードを選択するためのボタン、及び画像形成条件に関する数値情報を設定するためのテンキー等が配置されている。
【０００４】
近年、画像形成装置は、多機能化の要請に伴い、画像形成処理の開始前にユーザが入力すべき画像形成処理に関する情報が多岐にわたるため、入力操作部に操作パネルが用いられている。操作パネルは、操作キーのアイコンを表示するＬＣＤ等のディスプレイと、ディスプレイ上面におけるユーザの押下位置を検出するタッチパネルと、で構成されている。ディスプレイにおけるアイコンの表示内容を切り換えることで、多数のキーの入力操作を単一の操作パネルで受け付けることができる。
【０００５】
入力操作部に故障を生じると、ユーザによる画像形成処理に関する情報の入力操作ができなくなり、画像形成部に故障を生じていない場合でも画像形成装置を動作させることができなくなる。特に、画像形成装置では、操作パネルの大型化が進展しており、テンキーやプリントキー等を含む全てのキーをディスプレイに表示させるようにしたものも提案されている。このような操作パネルを備えた画像形成装置では、タッチパネルに故障を生じると、画像形成処理の開始の指示操作も受け付けられなくなる。
【０００６】
そこで、ネットワークを介して複数の画像形成装置を接続したシステムでは、複数の画像形成装置のうちの何れかに入力操作部の故障を生じた場合に、他の画像形成装置の入力操作部で代替させるようにした構成が提案されている（例えば、特許文献１参照。）。
【先行技術文献】
【特許文献】
【０００７】
【特許文献１】特開２００９−０７３０４５号公報
【発明の概要】
【発明が解決しようとする課題】
【０００８】
しかし、特許文献１に記載された構成は、故障を生じた画像形成装置に対する画像形成処理に関する情報の入力操作をネットワーク内の他の画像形成装置を介して受け付けるものであり、単独で設置された画像形成装置に適用することができない。
【０００９】
この発明の目的は、単独で設置されている場合でも、入力操作部に故障を生じた際に、画像形成処理に関する入力操作を受け付けることができる画像形成装置を提供することにある。
【課題を解決するための手段】
【００１０】
この発明の画像形成装置は、入力操作部、画像形成部、故障検出部、センサ、第１〜第３記憶部及び制御部を備えている。入力操作部は、画像形成処理に関する情報のユーザによる入力操作を受け付ける。画像形成部は、用紙に対する画像形成処理を実行する。故障検出部は、入力操作部における故障の発生を検出する。センサは、画像形成処理に関するユーザの動作を検出する。第１記憶部は、入力操作部におけるユーザの入力操作と画像形成処理に関する第１の情報との関係を記憶している。第２記憶部は、センサの検出結果と画像形成処理に関する第１の情報との関係を記憶している。第３記憶部は、センサの検出結果と画像形成処理に関する第２の情報との関係を記憶している。制御部は、故障検出部が入力操作部における故障の発生を検出していない時に第１記憶部及び第３記憶部の記憶内容に基づいて画像形成部の動作を制御し、故障検出部が入力操作部における故障の発生を検出した時に第２記憶部及び第３記憶部の記憶内容に基づいて画像形成部の動作を制御する。
【００１１】
この構成においては、故障検出部が入力操作部における故障の発生を検出すると、それまで第１記憶部及び第３記憶部の記憶内容に基づいて画像形成部の動作を制御していた制御部が、第２記憶部及び第３記憶部の記憶内容に基づいて画像形成部の動作を制御する。したがって、ユーザが入力操作部の操作によって入力していた画像形成処理に関する第１の情報が、故障を発生した入力操作部を使用することなく、画像形成処理に関するユーザの動作によって入力可能になる。
【００１２】
ここで、第１の情報とは、例えば、コピアモード、プリンタモード又はファックスモードの何れかの選択に係るモード選択情報、カラー画像形成処理又はモノクロ画像形成処理の何れかの選択に係るカラー選択情報、用紙サイズの選択に係る用紙サイズ選択情報、画像形成枚数の設定に係る枚数選択情報等である。また、第２の情報とは、例えば、原稿サイズの設定に係る原稿サイズ情報、装置の一部の開閉状態等を示す装置状態情報等である。
【００１３】
この構成において、画像形成部は未処理の用紙を収容する用紙収容部から処理済みの用紙を収容する用紙排出部までの間に用紙を搬送する用紙搬送部を含み、センサは用紙収容部におけるユーザの用紙収容動作を検出する用紙センサを含むことが好ましい。入力操作部に故障を生じた後に、それまで入力操作部が入力操作を受け付けていた第１の情報が、用紙収容部における用紙収容動作によって入力できる状態になる。ユーザは、入力操作部に故障を生じた後に、それまで入力操作部の操作によって入力していた第１の情報を、用紙収容部における用紙収容動作によって入力することができる。
【００１４】
また、画像形成部は原稿の画像を読み取る画像読取部を含み、センサは画像読取部におけるユーザの原稿載置動作を検出する原稿センサを含むことが好ましい。入力操作部に故障を生じた後に、それまで入力操作部が入力操作を受け付けていた第１の情報が、画像読取部における原稿載置動作によって入力できる状態になる。ユーザは、入力操作部に故障を生じた後に、それまで入力操作部の操作によって入力していた第１の情報を画像読取部における原稿載置動作によって入力することができる。
【００１５】
さらに、第１の情報及び第２の情報を含む表示情報を表示する表示部を備え、制御部は故障検出部が入力操作部における故障の発生を検出した後にセンサが検出したユーザの動作に対応する第１の情報を第２記憶部から読み出して表示部に表示することが好ましい。入力操作部に故障を生じた後に、画像形成処理に関するユーザの動作に基づく第１の情報の入力状態が、表示部に表示される。ユーザは、表示部の表示内容を視認することにより、センサの検出結果に基づく第１の情報の入力状態を確認することができる。
【００１６】
また、センサにおける検出結果の無変化状態の継続時間を計時するタイマを備え、制御部は故障検出部が入力操作部における故障の発生を検出した後にタイマの計時時間が所定時間を超えた時にはセンサが最後に検出したユーザの動作に対応する第１の情報をユーザによる設定内容として保存することが好ましい。単一のセンサによるユーザの動作の検出によって第１の情報の選択と決定とが行われる。ユーザは、第１の情報の選択と決定とを個別の動作によって行う必要がなく、入力操作部に故障を生じた後の第１の情報の入力を容易に行うことができる。
【発明の効果】
【００１７】
この発明によれば、入力操作部に故障を生じた後は、ユーザが入力操作部から入力していた画像形成処理に関する情報が画像形成処理に関するユーザの動作によって入力可能になり、画像形成処理に関する情報を別の装置を用いることなく入力できるようになる。
【図面の簡単な説明】
【００１８】
【図１】この発明の実施形態に係る画像形成装置の概略の正面断面図である。
【図２】同画像形成装置の制御部のブロック図である。
【図３】同画像形成装置における原稿サイズセンサの配置状態を示す外観図である。
【図４】同画像形成装置の入力操作部の平面図である。
【図５】（Ａ）〜（Ｃ）は、同画像形成装置の制御部の記憶内容を示す図である。
【図６】同制御部の処理手順を示すフローチャートである。
【図７】同入力操作部における操作変更画面の一例を示す図である。
【図８】同入力操作部における操作変更画面の別の例を示す図である。
【発明を実施するための形態】
【００１９】
以下に、この発明の実施形態に係る画像形成装置について、図面を参照して説明する。
【００２０】
図１に示すように、画像形成装置１は、画像読取部２、画像形成部３、給紙部４、及び制御部５を備えている。画像形成装置１は、コピアモード、プリンタモード又はファックスモードの何れかの動作モードで、用紙に対して電子写真方式のカラー画像形成処理又はモノクロ画像形成処理を実行する。画像形成装置１は、前面側に後述する入力操作部６を備えている。制御部５は、画像形成装置１の全体を統括的に制御する。画像形成処理の対象である用紙には、普通紙の他、印画紙やＯＨＰフィルム等が含まれる。
【００２１】
画像読取部２は、スキャナユニット２０、及び自動原稿搬送装置（ＡＤＦ：AutomaticDocument Feeder）２００を有している。
【００２２】
スキャナユニット２０は、第１原稿台２１、第２原稿台２２、光源ユニット２３、ミラーユニット２４、レンズ２５、及び固体撮像素子（ＣＣＤ:Charge Coupled Device）２６を備え、原稿の画像を読み取って画像データを生成する画像読取処理を行う。
【００２３】
ＡＤＦ２００は、原稿積載トレイ２０１から第２原稿台２２の上面を経由して原稿排出トレイ２０２へ至る原稿搬送路２０３を備え、原稿積載トレイ２０１上の原稿を第２原稿台２２の上面に１枚ずつ搬送する。ＡＤＦ２００は、第１原稿台２１の上面を開閉自在に被覆するように、背面側の端部を支点に回動自在に支持されている。前面側の端部が上方に移動するようにＡＤＦ２００を回動させて第１原稿台２１の上面を露出させることにより、ＡＤＦ２００を用いずに手動操作によって第１原稿台２１上に原稿を載置することができる。第１原稿台２１及び第２原稿台２２は、ともに硬質ガラス板によって構成されている。
【００２４】
光源ユニット２３及びミラーユニット２４は、第１原稿台２１及び第２原稿台２２の下方において、第１原稿台２１及び第２原稿台２２に沿って副走査方向に移動自在に構成されている。ミラーユニット２４の移動速度は、光源ユニット２３の移動速度の２分の１である。光源ユニット２３は、光源及び第１ミラーを搭載している。ミラーユニット２４は、第２ミラー及び第３ミラーを搭載している。
【００２５】
ＡＤＦ２００によって搬送される原稿の画像を読み取る搬送原稿読取方式では、光源ユニット２３は、第２原稿台２２の下方に停止している。光源の光は、第２原稿台２２上を通過する原稿の画像面に照射され、原稿の画像面による反射光が第１ミラーによってミラーユニット２４へ導かれる。
【００２６】
第１原稿台２１に載置された原稿の画像を読み取る停止原稿読取方式では、光源ユニット２３及びミラーユニット２４は、第１原稿台２１の下方を副走査方向に移動する。光源の光は、第１原稿台２１上に載置された原稿の画像面に照射され、原稿の画像面による反射光が第１ミラーによってミラーユニット２４へ導かれる。
【００２７】
ＡＤＦ２００を用いるか否かに拘らず、原稿の画像面による反射光は、光路長を一定にして、第２ミラー及び第３ミラーに導かれ、レンズ２５を経由してＣＣＤ２６に入射する。
【００２８】
ＣＣＤ２６は、原稿の画像面による反射光の光量に応じた電気信号を出力する。この電気信号は、制御部５に画像データとして入力される。このようにして、画像読取部２は、原稿の画像を読み取って画像データを生成する。制御部５は、必要に応じて画像データを画像形成部３へ出力する。
【００２９】
画像形成部３は、画像読取部２の下に配置され、電子写真プロセス部３０、定着部６０を備えている。
【００３０】
電子写真プロセス部３０は、感光体ドラム３１、帯電装置３２、露光ユニット３３、現像装置３４、転写装置３５、クリーニングユニット３６を備えている。帯電装置３２は、感光体ドラム３１の周面を所定の電位に均一に帯電させる。露光ユニット３３は、帯電した感光体ドラム３１の周面を画像データに応じて露光することによって、感光体ドラム３１の周面に画像データに応じた静電潜像を形成する。現像装置３４は、感光体ドラム３１の周面に形成された静電潜像を、トナー等の現像剤で顕像化し、現像剤像を形成する。転写装置３５は、感光体ドラム３１の周面に形成された現像剤像を、転写装置３５と感光体ドラム３１の周面との間に搬送されてきた用紙に転写する。クリーニングユニット３６は、現像剤像が用紙に転写された後の感光体ドラム３１の周面に残留した現像剤を除去及び回収する。
【００３１】
定着部６０は、加熱ローラ及び加圧ローラを有し、未定着の現像剤像を担持した用紙が加熱ローラと加圧ローラとの間を通過する際に、搬送しながら加熱及び加圧することで、現像剤像を用紙に定着させる。
【００３２】
画像形成部３の上部に、用紙排紙部である排紙トレイ７２が構成されている。排紙トレイ７２は、現像剤像が定着した処理済みの用紙を収容する。
【００３３】
給紙部４は、画像形成部３の下に配置され、未処理の用紙を収容する用紙収容部である複数の用紙カセット４１〜４４及び手差しトレイ４５を備えている。
【００３４】
給紙部４及び画像形成部３には、第１用紙搬送路７３、第２用紙搬送路７４、及び第３用紙搬送路７５が設けられている。
【００３５】
第１用紙搬送路７３は、給紙部４から電子写真プロセス部３０及び定着部６０を経由するように垂直方向に延び、定着部６０の上方で水平方向に湾曲して、用紙を排紙トレイ７２へ排出するように形成されている。第２用紙搬送路７４は、手差しトレイ４５から給紙部４内で略水平方向に延び、第１用紙搬送路７３内の転写位置３７より上流側に合流している。第３用紙搬送路７５は、両面印刷用の用紙搬送路であって、第１用紙搬送路７３内の定着部６０より下流側から分岐して、転写位置３７の下方で第１用紙搬送路７３に合流している。
【００３６】
用紙カセット４１，４３，４４に収容された用紙は、第１用紙搬送路７３を通って、電子写真プロセス部３０の転写位置３７へ搬送される。用紙カセット４２及び手差しトレイ４５に収容された用紙は、第２用紙搬送路７４及び第１用紙搬送路７３をこの順に通って、電子写真プロセス部３０の転写位置３７へ搬送される。
【００３７】
定着部６０による加熱定着後の用紙は、第１用紙搬送路７３を上方へ搬送された後、排紙トレイ７２へ向けて水平方向に導かれる。その後、排紙トレイ７２への排紙、又は用紙をターンバックすることで図示しない後処理装置への送出若しくは第３用紙搬送路７５への供給が行われる。
【００３８】
図２に示すように、制御部５は、ＲＯＭ５２及びＲＡＭ５３を備えたＣＰＵ５１に画像読取部用ドライバ５４、画像形成部用ドライバ５５、給紙部用ドライバ５６、入力操作部用コントローラ５７、故障検出部５８、原稿サイズセンサ８１〜８４等を接続して構成されている。ＲＯＭ５２は、ＣＰＵ５１の動作を規定するプログラム等を記憶している。ＲＡＭ５３は、ＣＰＵ５１に入出力されるデータを一時記憶する。ＲＡＭ５３のメモリエリア５３１〜５３４は、それぞれ画像濃度、用紙サイズ、画像形成枚数及び原稿サイズの設定内容を記憶する。
【００３９】
ドライバ５４には、画像読取部２に含まれる図示しないモータ等の駆動機器が接続されている。ドライバ５５には、画像形成部３に含まれる図示しないモータ等の駆動機器が接続されている。ドライバ５６には、給紙部４に含まれる図示しないモータ等の駆動機器が接続されている。
【００４０】
コントローラ５７には、入力操作部６が接続されている。図３に示すように、入力操作部６は、画像形成装置１の前面側に配置されている。入力操作部６は、ＬＣＤやＥＬ等のディスプレイ６１の上面にタッチパネル６２を配置して構成されている。コントローラ５７は、ＣＰＵ５１から入力された表示データに基づいてディスプレイ６１にキースイッチ等の操作部材の画像を表示する。一例として図４に示すように、ディスプレイ６１に表示される操作部材には、画像形成処理の開始の指示入力を受け付けるスタートボタン６１１が含まれる。コントローラ５７は、ユーザの入力操作によるタッチパネル６２の操作位置を示す操作データをＣＰＵ５１に出力する。ディスプレイ６１に表示すべき表示データをＲＯＭ５２に階層的に格納しておき、複数の操作部材をディスプレイ６１に階層的に表示することもできる。
【００４１】
故障検出部５８は、タッチパネル６２が故障を生じているか否かを検出する。タッチパネル６２は、例えば塵埃や損傷によって一部又は全部がオンされた状態のままになる場合がある。故障検出部５８は、タッチパネル６２から所定時間以上にわたって同一の検出信号が出力され続けている場合に、タッチパネル６２に故障を生じたと判断し、故障発生信号をＣＰＵ５１に出力する。
【００４２】
図３に示すように、原稿サイズセンサ８１〜８４は、ユーザが手動動作によって第１原稿台２１上に載置した原稿のサイズを検出し、検出データをＣＰＵ５１に出力する。原稿サイズセンサ８１〜８４は、一例として、原稿台２１の下方で原稿台２１を透過した外部光を受光する光学センサであり、原稿台２１上に載置された原稿による外部光の遮光状態によって原稿のサイズを検出する。なお、原稿サイズセンサは、第１原稿台２１を上下に挟む発光部と受光部とから構成されるものであってもよい。
【００４３】
ＣＰＵ５１は、コントローラ５７から入力された操作データとコントローラ５７に出力している表示データとに基づいて、ユーザによる画像形成処理に関する情報（例えば、画像濃度、用紙サイズ、画像形成枚数等）の設定内容を特定する。ＣＰＵ５１は、ＲＯＭ５２に格納されているプログラムに従って、特定した画像形成処理に関する情報の設定内容とセンサ８１〜８４から入力された検出データとに応じた駆動データをドライバ５４〜５６に出力する。ドライバ５４〜５６は、ＣＰＵ５１から入力された駆動データに基づいて各駆動機器を駆動する。
【００４４】
ＲＯＭ５２は、メモリエリア５２１〜５２３を備えている。メモリエリア５２１は、この発明の第１記憶部に相当し、図５（Ａ）に示すように、入力操作部６におけるユーザの入力操作情報と画像形成処理に関する第１の情報との関係を記憶している。入力操作部６におけるユーザの入力操作情報は、ディスプレイ６１の表示画面内の座標データとしてＣＰＵ５１に入力される。画像形成処理に関する第１の情報とは、ここでは、画像濃度、用紙サイズ、画像形成枚数等の画像形成条件を決定するための情報であり、画像形成処理の開始の指示情報を含む。ＣＰＵ５１は、入力操作部６から入力された座標データに対応する第１の情報をメモリエリア５２１から読み出し、ＲＡＭ５３のメモリエリア５３１〜５３３のそれぞれに格納する。また、ＣＰＵ５１は、入力操作部６から入力された座標データが画像形成処理の開始に対応する場合、メモリエリア５３１〜５３４の記憶内容に基づいてドライバ５４〜５６を駆動して画像形成処理を開始する。
【００４５】
なお、ＲＡＭ５３のメモリエリア５３１〜５３４には、例えば、中間レベルの画像濃度、Ａ４の用紙サイズ、１枚の画像形成枚数、Ａ４の原稿サイズがデフォルト値として設定されている。
【００４６】
メモリエリア５２２は、この発明の第２記憶部に相当し、図５（Ｂ）に示すように、センサ８１〜８４の検出結果と第１の情報との関係を記憶している。ＣＰＵ５１は、タッチパネル６２に故障を生じている間に、検出信号を入力したセンサ８１〜８３のそれぞれに対応する第１の情報をメモリエリア５２２から読み出し、検出信号の入力回数に応じて対応するメモリエリア５３１〜５３３のそれぞれの記憶内容を変更する。例えば、ＣＰＵ５１は、センサ８１から検出信号が入力される毎に画像濃度を上昇させ、センサ８１及び８２から検出信号が入力される毎に用紙サイズを大きくし、センサ８１〜８３から検出信号が入力される毎に画像形成枚数をインクリメントする。また、ＣＰＵ５１は、タッチパネル６２に故障を生じている間に、センサ８４の検出信号が入力されると、メモリエリア５３１〜５３４の記憶内容に基づいてドライバ５４〜５６を駆動して画像形成処理を開始する。このとき、ＣＰＵ５１は、画像形成処理を開始する直前におけるセンサ８１〜８４の検出信号に対応する原稿サイズをメモリエリア５２３から読み出す。
【００４７】
メモリエリア５２３は、この発明の第３記憶部に相当し、図５（Ｃ）に示すように、センサ８１〜８４の検出結果と画像形成処理に関する第２の情報との関係を記憶している。画像形成処理に関する第２の情報とは、ここでは、原稿サイズである。ＣＰＵ５１は、タッチパネル６２に故障を生じていない間に、検出信号に入力したセンサ８１〜８４の検出信号に対応する原稿サイズをメモリエリア５２３から読み出し、メモリエリア５３４に記憶する。また、ＣＰＵ５１は、タッチパネル６２に故障を生じている間には、画像形成処理を開始する直前におけるセンサ８１〜８４の検出信号に対応する原稿サイズをメモリエリア５２３から読み出す。
【００４８】
図６は、制御部の処理手順を示すフローチャートである。ＣＰＵ５１は、画像形成装置１に電源が投入されると、初期動作を実行した後、故障検出部５８から故障検出信号か入力されているか否かを判別する（Ｓ１）。ＣＰＵ５１は、故障検出信号が入力されていない場合には、入力操作部６からの操作情報の入力及びセンサ８１〜８４からの検出情報の入力を待機する（Ｓ２，Ｓ３）。ＣＰＵ５１は、画像形成処理の開始が指示された場合には、メモリエリア５３１〜５３４の記憶内容に基づく画像形成処理を実行する（Ｓ４，Ｓ５）。ＣＰＵ５１は、入力操作部６から第１の情報が入力された場合には、メモリエリア５２１〜５２４を参照してメモリエリア５３１〜５３３の記憶内容を変更する（Ｓ６）。また、ＣＰＵ５１は、センサ８１〜８４から検出信号が入力された場合には、メモリエリア５２３を参照してメモリエリア５３４の記憶内容を変更する（Ｓ７）。
【００４９】
ＣＰＵ５１は、故障検出信号が入力されている場合には、ディスプレイ６１に図７に示す操作変更画面６２０を表示し（Ｓ８）、センサ８１〜８４による第１の情報の入力を受け付ける。ＣＰＵ５１は、メモリエリア５２２を参照してセンサ８１〜８３の検出信号に応じたメモリエリア５３１〜５３３の記憶内容を変更する（Ｓ９，Ｓ１０）。このとき、ＣＰＵ５１は、変更後の設定内容をディスプレイ６１に表示することが好ましい。ＣＰＵ５１は、センサ８４の検出信号が入力されると（Ｓ１１）、ＡＤＦ２００が閉じられた後のセンサ８１〜８４の検出信号に対応する原稿サイズをメモリエリア５２３から読み出してメモリエリア５３４に格納する（Ｓ１２）。この後、ＣＰＵ５１は、メモリエリア５３１〜５３４の記憶内容に基づいて画像形成処理を実行する（Ｓ１３）。
【００５０】
以上の処理により、単独で設置されている画像形成装置１のタッチパネル６２に故障を生じた場合でも、画像形成装置１に既設されているセンサ８１〜８４を用いて画像形成条件の設定及び画像形成処理開始の指示を受け付けることができる。
【００５１】
なお、原稿サイズを検出する原稿サイズセンサ８１〜８４に代えて、例えば、給紙トレイ４１〜４４の装着状態を検出するセンサ、又は手差しトレイ４５上の用紙の有無を検出するセンサ等の画像形成装置１に既設の他のセンサを用いることもできる。
【００５２】
以下に、この発明の他の実施形態に係る画像形成装置として、ＡＤＦに既設の原稿有無センサを用いて第１の情報を入力する構成について説明する。この実施形態では、制御部５のＲＡＭ５３内にタイマが設定されている。ＣＰＵ５１は、ＲＡＭ５３内のタイマによって原稿有無センサ２０４の連続操作時間を計時する。
【００５３】
図１に示すように、原稿有無センサ２０４は、ＡＤＦ２００の原稿トレイ２０１に配置され、原稿トレイ２０１に原稿がセットされているか否かの状態を検出する。ＣＰＵ５１は、タッチパネル６２に故障を生じると、図８（Ａ）に示す操作変更画像６３０をディスプレイ６１に表示し、用紙サイズの選択操作を促す。操作変更画面６３０では、原稿有無センサ２０４が１回操作される毎にサイズ表示部６３１内に表示されている４つの用紙サイズアイコン及び次画面アイコンのそれぞれを順にハイライト表示する。原稿有無センサ２０４の連続操作時間が所定時間を超えて長押しされると、ＣＰＵ５１は、その時にハイライト表示している用紙サイズを、ユーザによって決定された用紙サイズとしてメモリエリア５３２に格納する。
【００５４】
操作変更画面６３０の次画面アイコンをハイライト表示している状態で用紙有無センサ２０４が長押しされると、ＣＰＵ５１は、図８（Ｂ）に示す操作変更画面６４０をディスプレイ６１に表示し、画像形成枚数の設定操作を促す。操作変更画面６４０では、原稿有無センサ２０４が１回操作される毎に枚数表示部６４１内に表示されているテンキーアイコン、次画面アイコン及び前画面アイコンのそれぞれを順にハイライト表示する。原稿有無センサ２０４の連続操作時間が所定時間を超えて長押しされると、ＣＰＵ５１は、その時に設定されている枚数を、ユーザによって決定された枚数として表示部６４２内に表示するとともにメモリエリア５３３に格納する。操作変更画面６４０の前画面アイコンをハイライト表示している状態で用紙有無センサ２０４が長押しされると、ＣＰＵ５１は、操作変更画面６３０をディスプレイ６１に表示する。
【００５５】
操作変更画面６４０の次画面アイコンをハイライト表示している状態で用紙有無センサ２０４が長押しされると、ＣＰＵ５１は、図８（Ｃ）に示す操作変更画面６５０をディスプレイ６１に表示し、画像形成処理開始の指示操作を促す。操作変更画面６５０では、原稿有無センサ２０４が１回操作される毎に開始表示部６５１内に表示されているスタートアイコン及び前画面アイコンのそれぞれを順にハイライト表示する。操作変更画面６５０の前画面アイコンをハイライト表示している状態で用紙有無センサ２０４が長押しされると、ＣＰＵ５１は、操作変更画面６４０をディスプレイ６１に表示する。操作変更画面６５０のスタートアイコンをハイライト表示している状態で用紙有無センサ２０４が長押しされると、ＣＰＵ５１は、画像形成処理を開始する。
【００５６】
以上の構成により、単独で設置された画像形成装置１のタッチパネル６２に故障を生じた場合でも、装置に既設の単一のセンサと、センサの操作時間を計時するタイマと、を用いて画像形成条件の設定及び画像形成処理開始の指示を受け付けることができる。
【００５７】
なお、図８（Ａ）及び（Ｂ）に示した操作変更画面と同様の構成の画面で画像濃度を設定できるようにしてもよい。
【００５８】
上述の実施形態の説明は、全ての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５９】
１  画像形成装置
２  画像読取部
３  画像形成部
５  制御部
６  入力操作部
５８  故障検出部
６１  ディスプレイ
６２  タッチパネル
８１〜８４  原稿サイズセンサ
２０４  原稿有無センサ
【図１】
2011191511.tif 000003
【図２】
2011191511.tif 000004
【図３】
2011191511.tif 000005
【図５】
2011191511.tif 000006
【図６】
2011191511.tif 000007
【図７】
2011191511.tif 000008
【図８】
2011191511.tif 000009
【図４】
2011191511.tif 000010